(57)【要約】      （修正有）【課題】直流電源で充電された２次電池を使用した携帯用充電器等において入出力端子がむき出しになっていない携帯用充電器を提供する。【解決手段】リチウムイオン電池と制御部を内蔵し、周りに入力端子、表示ランプ、及び出力端子を具備し、出力端子の反対側に凹部、又は凸部を有すプラスチックケース１と、入力端子、表示ランプ、および出力端子を覆いつつ、プラスチックケース周りに嵌る形で軟質プラスチックカバー２を具備する携帯用充電器とする。【選択図】図１
2010207069.tif 000002
【特許請求の範囲】
【請求項１】
リチウムイオン電池と制御部を内蔵し、周りに入力端子、表示ランプ、及び出力端子を配置し、出力端子の反対側に凹部、又は凸部を有すプラスチックケースと、入力端子、表示ランプ、および出力端子を覆いつつ、プラスチックケース周りに嵌る形で軟質プラスチックカバーを具備する携帯用充電器。
【発明の詳細な説明】
【技術分野】
【０００１】本発明は携帯電話等携帯電子機器が外出先で、電池が消耗したとき利用できる携帯充電器に関するもので、携帯し易い様に小形、軽量である事は勿論、端子保護等品質安定性と紛失、落下防止とファッション性を高めた構造の携帯充電器の関する物である。
【背景技術】
【０００２】近年、携帯用電子機器がますます普及しているが、外出先で電池が消耗した時、充電する携帯用充電器は、ＡＣ電源から整流して充電する充電器もあれば、直流電源で充電された２次電池としての充電器等各種市場に出ている。
しかしながら、携帯する物であるという事から、小形、軽量、使用性が簡便である事が望まれ、しかも充電能力、性能、品質安定性、ファッション性等全てに満足できる仕様の物は今までに無く、特に品質安定性、ファッション性があまり配慮されていない物が多く、或いは、品質安定性、ファッション性を高くする為、利便性を犠牲にしてしまっている物が通常であった。【０００３】具体的に説明するとまずＡＣ電源から充電する充電器は外出先でＡＣ電源を探さなければならない不便さがあり、ＡＣからＤＣへの変換器まで内蔵している為、その分、大きく重いものになってしまう。
又、ＡＣ／ＤＣ変換器は含まず、直流から充電されたリチウムイオン電池を内蔵した充電器は、従来から充電システムのシステム的中間部品と考えられ、入出力端子と充電器の間短い配線が露出していたり、或いは配線が露出していなくとも端子が露出したり、露出していない場合は、それぞれの端子に蓋がついているものであった為、ファッション性と使用性は簡便ではなかった。
【発明が解決しようとする課題】
【０００４】即ち従来の携帯用充電器の課題はＡＣ電源から直接充電する充電器では上記の不便さ、欠点から、今後の携帯用充電器ではない。
そうすると、ＤＣ電源で入出力される充電器でいかに小形、軽量、使用性が簡便であり、しかも充電能力、性能、品質安定性、ファッション性の高い物にするかが課題となる。
【発明の開示】
【課題を解決する為の手段】
【０００５】本発明の［請求項１］にあるようにリチウムイオン電池と制御部を内蔵し、周りに入力端子、表示ランプ、及び出力端子を配置し、出力端子の反対側に凹部、又は凹部を有すプラスチックケースと、入力端子、表示ランプ、および出力端子を覆いつつ、プラスチックケース周りに嵌る形で軟質プラスチックカバーを具備する携帯用充電器とする。
【発明の効果】
【０００６】リチウムイオン電池と制御部の周りに入力端子、表示ランプ、及び出力端子を配置することにより周りを軟質プラスチックのバンドでそれぞれの端子、ランプを保護するカバーをしながら絞めるようにすれば、端子部が物に当たって変形したり、汚れることから守り、充電器としての品質安定性を保つことが出来る。出力端子のプラスチックケースの反対側に凹部、又は凹部があれば、それに嵌るか、カバーするように軟質プラスチックの内側が成型されている。
その反対側に突出している出力端子を覆うように軟質プラスチックがカバーしている為、リチウムイオン電池と制御部を包含するプラスチックケースから軟質プラスチックカバーずれ落ちない。
また、軟質プラスチックは成型が容易である為、軟質プラスチックカバーの外形を動物や各種キャラクターの形にすることによってファッション性を高めることが出来る。
【発明を実施するための最良の形態】
【実施例】
【０００７】以下、本発明の携帯用充電器についての実施例として図１、２、３、及び４を用いて説明する。
図中の１はリチウムイオン電池や制御部を包含するプラスチックケース、２は軟質プラスチックカバー、３はストラップ、４はストラップ通し穴、５は入力端子、６は出力端子、７は凹状溝、８は軟質プラスチック断面、９はストラップを締め付けるビーズ、１０は表示ランプである。【０００８】図１は本発明の携帯用充電器の正面図、図２は側面図、図３は軟質プラスチックカバー２をはずした状態のプラスチックケース１の側面図、図４は図１の軟質プラスチック２の縦のセンター軸に沿って紙面に垂直に切った場合の断面を示す図で、塗抹部分が軟質プラスチック断面８を示す。
プラスチックケース１内にはリチウムイオン電池と制御部を内蔵し、プラスチックケース１の周りに入力端子５、表示ランプ１０、及び出力端子６を具備し、出力端子６の反対側に凹状の溝７を有す。
入力端子５、表示ランプ１０、および出力端子６を覆いつつ、プラスチックケース１周りに嵌る形で軟質プラスチックカバー２を具備している。
プラスチックケース１の周りに入力端子５、表示ランプ１０、及び出力端子６を配置することにより周りを軟質プラスチックカバー２はバンドで絞めるようなっている為、それぞれの端子、ランプを保護するカバーとなり、端子部が物に当たって変形したり、汚れることから守り、充電器としての品質安定性を保つことが出来る。
出力端子６の付いているプラスチックケースの反対側に凹状の溝があり、その溝に嵌るように軟質プラスチックが内側が成型されている。
出力端子６を覆うように軟質プラスチックがカバーしている為、リチウムイオン電池と制御部を包含するプラスチックケース１から軟質プラスチックカバー２はずれ落ちない。
また、軟質プラスチックは成型が容易である為、軟質プラスチックカバー２の外形を動物や各種キャラクターの形にすることによってファッション性を高めることが出来る。【０００９】なお、充電器として使う動作を以下に説明する。
まず本発明の携帯用充電器に外出前、一般電源から充電するには図１正面図の軟質プラスチックカバー２左右どちらかを図の紙面に対して上、又は下にずらすようにすれば、軟質プラスチックカバー２は平らにプラスチックケース１に面しており、軟質の材料であるため伸びて容易にずれ、下部の凹状溝７から軟質プラスチックカバー２の下部も外れ、プラスチックケース１から軟質プラスチックケース２の全体を外す事が出来る。
そうすることにより、プラスチックケース１は図３に示すような姿で現れる。
一般ＡＣ／ＤＣ変換器の出力端子を本発明品のプラスチックケース１の入力端子５に繋ぎ、充電した後、先にはずしたプラスチックカバー２を嵌めて外出する。
外出時、例えば携帯電話の電源が消耗してしまったとき、本発明品と取り出し、先と同様、軟質プラスチックカバー２をはずし、出力端子を携帯電話に繋ぎ充電する。
【産業上利用の可能性】
【００１０】自明ゆえ、説明は省略する。
【図面の簡単な説明】
【００１１】
【図１】本発明携帯用充電器の正面図である。
【図２】本発明携帯用充電器の側面図である。
【図３】プラスチックケース１の側面図である。
【図４】軟質プラスチックカバー２の断面図である。
【符号の説明】１．プラスチックケース
２．軟質プラスチックカバー
３．ストラップ
４．ストラップ穴
５．入力端子
６．出力端子
７．凹状溝
８．軟質プラスチックカバー断面
９．ビーズ
１０．表示ランプ
【図１】
2010207069.tif 000003
【図２】
2010207069.tif 000004
【図３】
2010207069.tif 000005
【図４】
2010207069.tif 000006